(57)【特許請求の範囲】
【請求項１】
長手方向に並ぶ複数の貫通孔を有する帯体を天井面から垂れ下がるように固定するための帯体固定具であって、
前記帯体固定具自身を前記天井面に固定するために、前記天井面に固着される固着具が貫通する固定部と、
前記帯体の一端側が前記天井面に沿って配置されるようにその帯体の一端側が載置される載置部と、
前記載置部の上面に続いて前記天井面から離れる側に湾曲して前記帯体を垂れ下がる側に案内する支持面を有する支持部と、
前記帯体固定具自身が前記天井面に固定された固定状態で、前記帯体の、垂れ下がる側への移動を規制すべく、前記複数の貫通孔のうちのいずれかの貫通孔に入り込んでその貫通孔の周縁に係合する係合部とを、備える帯体固定具。
【請求項２】
前記固定部は、前記固着具が前記複数の貫通孔のいずれかの貫通孔を貫通するよう、その貫通孔に対応した位置に設けられる請求項１に記載の帯体固定具。
【請求項３】
前記固定部は、前記係合部を有し、前記固着具は、前記係合部を含めて前記固定部を貫通するとともに、前記係合部が入り込む前記貫通孔を貫通する請求項２に記載の帯体固定具。
【請求項４】
長手方向に並ぶ複数の貫通孔を有する帯体を天井面から垂れ下がるように固定するための帯体固定具であって、
前記帯体固定具自身を前記天井面に固定するために、前記天井面に固着される固着具が貫通する固定部と、
前記帯体の一端側が前記天井面に沿って配置されるようにその帯体の一端側が載置される載置部と、
前記載置部の上面に続いて前記天井面から離れる側に湾曲して前記帯体を垂れ下がる側に案内する支持面を有する支持部とを、備え、
前記帯体固定具自身が前記天井面に固定された固定状態で、前記帯体の、長手方向の移動を規制すべく、前記固定部が前記載置部に設けられるとともに前記固着具が前記帯体を貫通してその帯体に係合する帯体固定具。
【請求項５】
前記帯体を仮保持するように、前記固定状態となる前において、前記複数の貫通孔におけるいずれかの貫通孔に入り込み、前記帯体の、垂れ下がる側への移動を規制する、第１規制部を備える請求項１ないし４のいずれか１項に記載の帯体固定具。
【請求項６】
前記帯体を仮保持するように、前記固定状態となる前において、前記複数の貫通孔における前記第１規制部が入り込む貫通孔またはその貫通孔とは異なる貫通孔に入り込んで、前記帯体の、垂れ下がる側とは反対側への移動を規制する、第２規制部を備える請求項５に記載の帯体固定具。
【請求項７】
前記載置部を挟んで前記支持部とは反対側に延出する延出部を備え、
前記延出部に、前記第１規制部と前記第２規制部とが、前記複数の貫通孔における同一の貫通孔に入り込むように設けられる請求項６に記載の帯体固定具。
【請求項８】
前記帯体の幅方向の両側を保持する保持片を備える請求項１ないし７のいずれか１項に記載の帯体固定具。
【請求項９】
前記保持片は、前記支持部に設けられる請求項８に記載の帯体固定具。
【請求項１０】
請求項１ないし９のいずれか１項に記載の帯体固定具と、前記帯体とを備えて、その帯体によって配線・配管材を吊り下げる、配線・配管材吊下げ具。
【請求項１１】
配線・配管材を吊り下げるための帯体が、帯体固定具によって天井面から垂れ下がるように固定されてなる、帯体固定構造であって、
前記帯体は、長手方向に並ぶ複数の貫通孔を有し、
前記帯体固定具は、
その帯体固定具自身を前記天井面に固定するために、前記天井面に固着される固着具が貫通する固定部と、
前記帯体の一端側が前記天井面に沿って配置されるようにその帯体の一端側が載置される載置部と、
前記載置部の上面に続いて前記天井面から離れる側に湾曲して前記帯体を垂れ下がる側に案内する支持面を有する支持部とを、備え、
前記帯体の一端側が前記天井面と前記載置部との間に配置されるようにして、前記固定部を貫通し前記天井面に固着される前記固着具により、前記帯体固定具自身が前記天井面に固定されて、前記帯体固定具に備わる係合部が前記貫通孔の周縁に係合する、または前記固定部が前記載置部に設けられるとともに前記固着具が前記帯体を貫通してその帯体に係合することにより、前記帯体の、垂れ下がる側への移動が規制され、かつ、前記帯体が、前記支持面によって、湾曲状となるようにその帯体の下方から支持されている、帯体固定構造。
【発明の詳細な説明】
【技術分野】
【０００１】
この発明は、帯体を天井面から垂れ下がるように固定するための帯体固定具、配線・配管材吊下げ具、および帯体固定構造に関するものである。
【背景技術】
【０００２】
従来、配線・配管材等の被保持物を吊り下げるようにして保持する保持材となる帯体があった（例えば、特許文献１参照）。図８に示すように、この帯体５０は、湾曲可能であって、鋼板等により帯状に形成されていた。そこで、この帯体５０は、上端部分が、横木５１の側部５１ａに、釘５２により固定され、下部側が、ループＬを形成するように曲げ返されることで、そのループＬの内側に被保持物５３が保持された。
【先行技術文献】
【特許文献】
【０００３】
【特許文献１】特開２０００−３９０８６号公報
【発明の概要】
【発明が解決しようとする課題】
【０００４】
ところで、前記従来の帯体５０にあっては、帯体５０の上端部分を横木５１の側部５１ａに固定する場合には、その帯体５０が上端部分を含めて真っ直ぐ下方に垂れ下がることができたが、天井面に固定する場合には、固定される上端部分に対してその下方が折れ曲がった。このため、その上端部分と下方との境界の折れ曲がり部が、経年劣化により亀裂が入る虞があり、この帯体５０を天井面に長期に渡って安定して固定することが困難になる場合も考えられた。
【０００５】
この発明は、上記した従来の欠点を解決するためになされたものであり、その目的とするところは、帯体を天井面に長期に渡って安定した状態で固定することができる帯体固定具、その帯体固定具と帯体とを備える配線・配管材吊下げ具、および帯体固定構造を提供することにある。
【課題を解決するための手段】
【０００６】
この発明に係る帯体固定具、配線・配管材吊下げ具、および帯体固定構造は、前記目的を達成するために、次の構成からなる。すなわち、
請求項１に記載の発明に係る帯体固定具は、長手方向に並ぶ複数の貫通孔を有する帯体を天井面から垂れ下がるように固定するための帯体固定具である。この帯体固定具は、その帯体固定具自身を前記天井面に固定するために、前記天井面に固着される固着具が貫通する固定部と、前記帯体の一端側が前記天井面に沿って配置されるようにその帯体の一端側が載置される載置部と、前記載置部の上面に続いて前記天井面から離れる側に湾曲して前記帯体を垂れ下がる側に案内する支持面を有する支持部とを、備える。そして、帯体固定具は、その帯体固定具自身が前記天井面に固定された固定状態で、前記帯体の、垂れ下がる側への移動を規制すべく、前記複数の貫通孔のうちのいずれかの貫通孔に入り込んでその貫通孔の周縁に係合する係合部を備える。
【０００７】
この帯体固定具によると、帯体固定具の載置部に帯体の一端側が載置されることで、その帯体の一端側は、天井面に沿って配置される。そして、載置部の上面に続く湾曲する支持面により、帯体は、垂れ下がる側に案内される。こうして、帯体は、天井面に沿う側から垂れ下がる側へと、湾曲する支持面により案内されることで、この帯体が天井面に沿う側と垂れ下がる側との間で折れ曲がるのを防ぐことができる。また、固定部を貫通して天井面に固着される固着具により帯体固定具自身が天井面に固定された固定状態で、係合部が帯体の貫通孔に入り込んでその貫通孔の周縁に係合することで、帯体は、その垂れ下がる側への移動が規制される。こうして、帯体の移動が規制されることで、帯体が垂れ下がる側へとずれて落下するのを防ぐことができる。
【０００８】
また、請求項２に記載の発明に係る帯体固定具は、請求項１に記載の帯体固定具であって、前記固定部は、前記固着具が前記複数の貫通孔のいずれかの貫通孔を貫通するよう、その貫通孔に対応した位置に設けられる。こうして、固着具が帯体の貫通孔を貫通することで、帯体の落下を確実に防ぐことができる。
【０００９】
また、請求項３に記載の発明に係る帯体固定具は、請求項２に記載の帯体固定具であって、前記固定部は、前記係合部を有し、前記固着具は、前記係合部を含めて前記固定部を貫通するとともに、前記係合部が入り込む前記貫通孔を貫通する。
【００１０】
また、請求項４に記載の発明に係る帯体固定具は、長手方向に並ぶ複数の貫通孔を有する帯体を天井面から垂れ下がるように固定するための帯体固定具である。この帯体固定具は、その帯体固定具自身を前記天井面に固定するために、前記天井面に固着される固着具が貫通する固定部と、前記帯体の一端側が前記天井面に沿って配置されるようにその帯体の一端側が載置される載置部と、前記載置部の上面に続いて前記天井面から離れる側に湾曲して前記帯体を垂れ下がる側に案内する支持面を有する支持部とを、備える。そして、帯体固定具は、その帯体固定具自身が前記天井面に固定された固定状態で、前記帯体の、長手方向の移動を規制すべく、前記固定部が前記載置部に設けられるとともに前記固着具が前記帯体を貫通してその帯体に係合する。
【００１１】
この帯体固定具によると、帯体固定具の載置部に帯体の一端側が載置されることで、その帯体の一端側は、天井面に沿って配置される。そして、載置部の上面に続く湾曲する支持面により、帯体は、垂れ下がる側に案内される。こうして、帯体は、天井面に沿う側から垂れ下がる側へと、湾曲する支持面により案内されることで、この帯体が天井面に沿う側と垂れ下がる側との間で折れ曲がるのを防ぐことができる。また、固定部を貫通して天井面に固着される固着具により帯体固定具自身が天井面に固定された固定状態で、固着具が帯体を貫通してその帯体に係合することで、帯体は、その長手方向の移動が規制される。こうして、帯体の移動が規制されることで、帯体が垂れ下がる側へとずれて落下するのを防ぐことができる。
【００１２】
また、請求項５に記載の発明に係る帯体固定具は、請求項１ないし４のいずれか１項に記載の帯体固定具であって、前記帯体を仮保持するように、前記固定状態となる前において、前記複数の貫通孔におけるいずれかの貫通孔に入り込み、前記帯体の、垂れ下がる側への移動を規制する、第１規制部を備える。こうして、帯体固定具が固定状態となる前、つまり帯体固定具を天井面に固定する前に、第１規制部を用いて帯体を仮保持することで、帯体の、垂れ下がる側への移動が規制され、その後の、天井面への帯体固定具の固定が容易となる。
【００１３】
また、請求項６に記載の発明に係る帯体固定具は、請求項５に記載の帯体固定具であって、前記帯体を仮保持するように、前記固定状態となる前において、前記複数の貫通孔における前記第１規制部が入り込む貫通孔またはその貫通孔とは異なる貫通孔に入り込んで、前記帯体の、垂れ下がる側とは反対側への移動を規制する、第２規制部を備える。こうして、帯体固定具が固定状態となる前、つまり帯体固定具を天井面に固定する前に、第１規制部および第２規制部を用いて帯体を仮保持することで、帯体の、長手方向の両側への移動が規制され、その後の、天井面への帯体固定具の固定が一層容易となる。
【００１４】
また、請求項７に記載の発明に係る帯体固定具は、請求項６に記載の帯体固定具であって、前記載置部を挟んで前記支持部とは反対側に延出する延出部を備え、その延出部に、前記第１規制部と前記第２規制部とが、前記複数の貫通孔における同一の貫通孔に入り込むように設けられる。
【００１５】
また、請求項８に記載の発明に係る帯体固定具は、請求項１ないし７のいずれか１項に記載の帯体固定具であって、前記帯体の幅方向の両側を保持する保持片を備える。
【００１６】
また、請求項９に記載の発明に係る帯体固定具は、請求項８に記載の帯体固定具であって、前記保持片は、前記支持部に設けられる。
【００１７】
また、請求項１０に記載の発明に係る配線・配管材吊下げ具は、請求項１ないし９のいずれか１項に記載の帯体固定具と、前記帯体とを備えて、その帯体によって配線・配管材を吊り下げる、配線・配管材吊下げ具である。
【００１８】
また、請求項１１に記載の発明に係る帯体固定構造は、配線・配管材を吊り下げるための帯体が、帯体固定具によって天井面から垂れ下がるように固定されてなる、帯体固定構造である。ここで、前記帯体は、長手方向に並ぶ複数の貫通孔を有する。そして、前記帯体固定具は、その帯体固定具自身を前記天井面に固定するために、前記天井面に固着される固着具が貫通する固定部と、前記帯体の一端側が前記天井面に沿って配置されるようにその帯体の一端側が載置される載置部と、前記載置部の上面に続いて前記天井面から離れる側に湾曲して前記帯体を垂れ下がる側に案内する支持面を有する支持部とを、備える。そこで、帯体固定構造は、前記帯体の一端側が前記天井面と前記載置部との間に配置されるようにして、前記固定部を貫通し前記天井面に固着される前記固着具により、前記帯体固定具自身が前記天井面に固定されて、前記帯体固定具に備わる係合部が前記貫通孔の周縁に係合する、または前記固定部が前記載置部に設けられるとともに前記固着具が前記帯体を貫通してその帯体に係合することにより、前記帯体の、垂れ下がる側への移動が規制され、かつ、前記帯体が、前記支持面によって、湾曲状となるようにその帯体の下方から支持されている。
【００１９】
この帯体固定構造によると、帯体固定具の載置部に帯体の一端側が載置されることで、その帯体の一端側は、天井面に沿って配置される。そして、載置部の上面に続く湾曲する支持面により、帯体は、垂れ下がる側に案内される。こうして、帯体は、天井面に沿う側から垂れ下がる側へと、湾曲する支持面により案内されることで、この帯体が天井面に沿う側と垂れ下がる側との間で折れ曲がるのを防ぐことができる。また、帯体の一端側が天井面と載置部との間に配置され、固着具により帯体固定具自身が天井面に固定されて、帯体固定具に備わる係合部が帯体の貫通孔の周縁に係合したり、固着具が帯体を貫通してその帯体に係合したりすることで、帯体は、その垂れ下がる側への移動が規制され、これによって、帯体が垂れ下がる側へとずれて落下するのを防ぐことができる。
【発明の効果】
【００２０】
この発明に係る帯体固定具、配線・配管材吊下げ具、および帯体固定構造によれば、帯体がずれて落下するのを防ぎ、かつ、湾曲する支持面により、帯体が天井面に沿う側と垂れ下がる側との間で折れ曲がるのを防ぐことで、帯体を天井面に長期に渡って安定した状態で固定することができる。
【図面の簡単な説明】
【００２１】
【図１】この発明の一実施の形態の、全体を示す正面図である。
【図２】同じく、図１における帯体固定具部分の拡大断面図である。
【図３】同じく、図１における止め具部分の拡大断面図である。
【図４】同じく、図１における止め具部分の斜視図である。
【図５】同じく、帯体固定具の斜視図である。
【図６】同じく、帯体固定具の平面図である。
【図７】同じく、帯体固定具の縦断面図である。
【図８】従来の、帯体を用いた吊下げ構造を示す斜視図である。
【発明を実施するための形態】
【００２２】
以下、この発明に係る帯体固定具、配線・配管材吊下げ具、および帯体固定構造を実施するための形態を図面に基づいて説明する。
【００２３】
図１〜図７は、本発明の一実施の形態を示す。図中符号１は、天井面を示す。２は、配線・配管材（配線材または配管材）を示す。３は、帯体を示し、帯体３は、長手方向に並ぶ複数の貫通孔３ａ、３ａを有する。４は、帯体固定具を示し、この帯体固定具４は、前記帯体３を天井面１から垂れ下がるように固定するためのものである。５は、配線・配管材吊下げ具を示し、この配線・配管材吊下げ具５は、前記帯体固定具４と前記帯体３とを備えて、その帯体３によって配線・配管材２を吊り下げるものである。４０は、帯体固定構造を示し、この帯体固定構造４０は、配線・配管材２を吊り下げるための帯体３が、帯体固定具４によって天井面１から垂れ下がるように固定されてなる。
【００２４】
ここで、帯体固定具４は、帯体固定具４自身を天井面１に固定するために、その天井面１に固着されるビスとか釘等の固着具６が貫通する固定部７を備える。そして、帯体固定具４は、帯体３の一端側が天井面１に沿って配置されるようにその帯体３の一端側が載置される載置部８と、その載置部８の上面に続いて天井面１から離れる側（つまり、下側）に湾曲して帯体３を垂れ下がる側に案内する支持面９ａを有する支持部９とを、備える。さらに、帯体固定具４は、帯体固定具４自身が天井面１に固定された固定状態で、帯体３の、垂れ下がる側への移動（図示実施の形態においては、帯体３の、垂れ下がる側および垂れ下がる側とは反対側の移動、すなわち帯体３の長手方向の移動）を規制すべく、帯体３の複数の貫通孔３ａ、３ａのうちのいずれかの貫通孔３ａに入り込んでその貫通孔３ａの周縁に係合する係合部１０を備える。
【００２５】
詳細には、前記固定部７は、固着具６が帯体３の複数の貫通孔３ａ、３ａのいずれかの貫通孔３ａを貫通するよう、その貫通孔３ａに対応した位置に設けられる。図示実施の形態においては、固定部７は、前記係合部１０を有し、固着具６は、係合部１０を含めて固定部７を貫通するとともに、係合部１０が入り込む貫通孔３ａを貫通するようになっている。
【００２６】
また、帯体固定具４は、帯体３を仮保持するように、帯体固定具４自身が天井面１に固定された固定状態となる前において、帯体３の複数の貫通孔３ａ、３ａにおけるいずれかの貫通孔３ａに入り込み、帯体３の、垂れ下がる側への移動を規制する、第１規制部１１を備える。そして、帯体固定具４は、第１規制部１１に加えて、第２規制部１２を備えている。この第２規制部１２は、帯体３を仮保持するように、前記固定状態となる前において、帯体３の複数の貫通孔３ａ、３ａにおける第１規制部１１が入り込む貫通孔３ａまたはその貫通孔３ａとは異なる貫通孔３ａに入り込んで、帯体３の、垂れ下がる側とは反対側への移動を規制する。図示実施の形態においては、帯体固定具４は、前記載置部８を挟んで支持部９とは反対側（つまり、帯体３の垂れ下がる側とは反対側）に延出する延出部１３を備えており、この延出部１３に、第１規制部１１と第２規制部１２とが、帯体３の複数の貫通孔３ａ、３ａにおける同一の貫通孔３ａに入り込むように設けられている。
【００２７】
そして、帯体固定構造４０においては、帯体３の一端側が天井面１と載置部８との間に配置されるようにして、固定部７を貫通し天井面１に固着される固着具６により、帯体固定具４自身が天井面１に固定されて、帯体固定具４に備わる係合部１０が帯体３の貫通孔３ａの周縁に係合する、または後述するように固定部７が載置部８に設けられるとともに固着具６が帯体３を貫通してその帯体３に係合することにより、つまり、帯体３への係合部１０または固着具６の係合（係合手段）により、帯体３の、垂れ下がる側への移動（図示実施の形態においては、帯体３の、垂れ下がる側および垂れ下がる側とは反対側の移動、すなわち帯体３の長手方向の移動）が規制され、かつ、帯体３が、支持面９ａによって、湾曲状となるようにその帯体３の下方から支持されている。
【００２８】
具体的には、帯体３は、例えば合成樹脂製であって、一定幅で連続して形成されている。そして、前記貫通孔３ａ、３ａは、帯体３の長手方向の側に若干長孔となるように形成され、帯体３の幅中央に位置している。また、帯体３は、これら貫通孔３ａ、３ａに加えて、各貫通孔３ａ、３ａ間に、径小となる円形形状をした他の貫通孔３ｂを有している（図４参照）。
【００２９】
帯体固定具４は、例えば合成樹脂製であって、前記載置部８と前記支持部９と前記延出部１３とが、連続して板状に形成されている。詳細には、載置部８が天井面１に沿うように平板状であって帯体３よりも若干幅広に形成される。載置部８の後方に続く支持部９は、載置部８と同一の幅であって、天井面１から離れる側（つまり、下側）に湾曲するように形成される。そして、載置部８の前方に続く延出部１３は、先細となるように、かつ、天井面１から離れる側（つまり、下側）に湾曲するように形成される。また、これら載置部８、支持部９および延出部１３の下面には、補強のためのリブ４ａが設けられる。
【００３０】
この帯体固定具４において、前記固定部７は、載置部８の中央に設けられている。そして、前述したように、この固定部７が前記係合部１０を有している。この係合部１０は、載置部８の上面から、帯体３の厚み以下あるいは未満となる高さに突出しており、このため、帯体３の貫通孔３ａに入り込んだ際には、その貫通孔３ａから上方に飛び出ることがない。そして、固定部７には、固着具６が貫通する孔７ａがあけられている。この孔７ａは、図示実施の形態においては、始めから貫通して形成されているが、固着具６が突き抜けることが可能な薄板部等で塞がれていても構わない。
【００３１】
前記第１規制部１１は、延出部１３の先端部分においてその上面から突出して形成される。詳細には、この第１規制部１１は、尖った先端を備えるとともに、帯体３の貫通孔３ａを抜けて帯体３の上面を抑えることができるように、鉤状（Ｌ字状）に前方に折れ曲がって形成されている。そして、前記第２規制部１２は、第１規制部１１の少し後方位置にて、延出部１３の上面から突出して形成される。そして、これら第１規制部１１と第２規制部１２とが、帯体３の貫通孔３ａの周縁における前後に係合することで、帯体３は、前後の移動が止められる。なお、第１規制部１１と第２規制部１２とは、離れて位置するが、繋がっていても構わない。
【００３２】
また、帯体固定具４は、帯体３の幅方向の両側を保持する保持片１４、１４を備えている。図示実施の形態においては、これら保持片１４、１４は、前記支持部９に設けられる。詳細には、保持片１４、１４は、帯体３をその幅方向で挟むように、支持部９の幅の各側においてその上面から突出して形成され、さらに、帯体３の上面を抑えることができるように、鉤状（Ｌ字状）に内側に折れ曲がって形成されている（図５、図６参照）。
【００３３】
ところで、帯体３は、帯体固定具４を用いて、天井面１から垂れ下がるように固定されるが、帯体３の垂れ下がった側で、その帯体３は、配線・配管材２（図示実施の形態においては、配管材であって、例えば空調ダクト等のダクト）を抱えるようにして吊り下げる。この際、帯体３における、配線・配管材２に回されて上方に延びる各側は、止め具２０により互いに止められる。詳細には、止め具２０は、例えば合成樹脂製であって、帯体３の一方の側が止められる第１止め部２１と、帯体３の他方の側が止められる第２止め部２２とを備えている。より詳細には、止め具２０は、ベース部２３を備え、第１止め部２１と第２止め部２２とは、このベース部２３の表裏に設けられる。そして、第１止め部２１と第２止め部２２とは、帯体３が掛け止められるフック部Ｘからなる。
【００３４】
このフック部Ｘは、帯体３の長手方向に延びて、その自由端Ｘ２から帯体３における複数の貫通孔３ａ、３ａのいずれかの貫通孔３ａである第１貫通孔３０１に挿入可能に構成され、フック部Ｘの基端部Ｘ１が、そのフック部Ｘに対する帯体３の、フック部Ｘにおける自由端Ｘ２側から基端部Ｘ１側に向かう方向の相対移動を規制するように、第１貫通孔３０１の周縁に係合可能となっている。そして、フック部Ｘの自由端Ｘ２側には、そのフック部Ｘに対する帯体３の、フック部Ｘにおける基端部Ｘ１側から自由端Ｘ２側に向かう方向の相対移動を規制するように、第１貫通孔３０１とは別の貫通孔３ａである第２貫通孔３０２に入り込んでその第２貫通孔３０２の周縁に係合可能な、または、帯体３の端部に係合可能な、突状係合部Ｘ３が設けられている。つまり、突状係合部Ｘ３は、図示実施の形態においては、第２貫通孔３０２の周縁に係合するが、帯体３の先端側を短くすることで、突状係合部Ｘ３が帯体３の端部に係合するようにしても構わない。
【００３５】
次に、以上の構成からなる帯体固定具４、並びに、その帯体固定具４を備える、配線・配管材吊下げ具５および帯体固定構造４０の作用効果について説明する。帯体固定具４における載置部８に帯体３の一端側が載置されることで、その帯体３の一端側は、天井面１に沿って配置される。そして、載置部８の上面に続く湾曲する支持面９ａにより、帯体３は、垂れ下がる側に案内される。こうして、帯体３は、天井面１に沿う側から垂れ下がる側へと、湾曲する支持面９ａにより案内され、これによって、この帯体３が天井面１に沿う側と垂れ下がる側との間で折れ曲がるのを防ぐことができる。また、帯体３の一端側が天井面１と載置部８との間に配置され、固定部７を貫通して天井面１に固着される固着具６により帯体固定具４自身が天井面１に固定された固定状態で、係合部１０が帯体３の貫通孔３ａに入り込んでその貫通孔３ａの周縁に係合し、これにより、帯体３は、その垂れ下がる側への移動（図示実施の形態においては、帯体３の、垂れ下がる側および垂れ下がる側とは反対側の移動となる、帯体３の長手方向の移動）が規制される。こうして、帯体３は、係合部１０により、垂れ下がる側への移動が規制され、これによって、帯体３が垂れ下がる側へとずれて落下するのを防ぐことができる。すなわち、この帯体固定具４によると、係合部１０により、帯体３がずれて落下するのを防ぎ、かつ、湾曲する支持面９ａにより、帯体３が天井面１に沿う側と垂れ下がる側との間で折れ曲がるのを防ぐことで、帯体３を天井面１に長期に渡って安定した状態で固定することができる。
【００３６】
そして、この帯体固定具４と帯体３とを用いることで（つまり、配線・配管材吊下げ具５とか帯体固定構造４０により）、配線・配管材２を吊り下げることができる。もっとも、帯体固定具４と帯体３とを用いて吊り下げられる被吊下げ材は、配線・配管材２の他に、広く線材、棒材、管材その他の長尺物であってもよく、また、長尺物以外のものであってもよい。
【００３７】
また、帯体固定具４は、固着具６が帯体３の貫通孔３ａを貫通するように構成されているため、仮に係合部１０が帯体３の貫通孔３ａから抜け落ちて外れたとしても、固着具６が貫通孔３ａの周縁に係合することで、帯体３の落下を確実に防ぐことができる。
【００３８】
また、載置部８に設けられる係合部１０の高さを、帯体３の厚み未満とすると、固着具６を用いて帯体固定具４を天井面１に固定した際に、帯体３は、天井面１に押し付けられる。これによって、この帯体３を天井面１に強固に固定することができる。
【００３９】
また、帯体固定具４が固定状態となる前、つまり帯体固定具４を天井面１に固定する前に、第１規制部１１を用いて帯体３を仮保持することで、帯体３の、垂れ下がる側への移動が規制され、その後の、天井面１への帯体固定具４の固定が容易となる。特に、図示実施の形態においては、帯体３を仮保持するのに第１規制部１１および第２規制部１２が用いられ、これによって、帯体３の、長手方向の両側への移動が規制され、その後の、天井面１への帯体固定具４の固定が一層容易となる。また、この際、第１規制部１１は、帯体３の上面を抑えるように鉤状（Ｌ字状）に折れ曲がって形成されており、これによって、仮保持の際に帯体３が浮き上がるのを防ぐことができる。そして、保持片１４においても、帯体３の上面を抑えるように鉤状（Ｌ字状）に折れ曲がって形成されており、この保持片１４によっても、仮保持の際に帯体３が浮き上がるのを防ぐことができる。そして、これら第１規制部１１と保持片１４とは、帯体固定具４における前側と後側とに設けられており、両者により、仮保持の際に帯体３が浮き上がるのを効果的に防止することができる。
【００４０】
また、帯体３を仮保持するにあたって、第１規制部１１と第２規制部１２により、帯体固定具４に対して帯体３が位置決めされるため、係合部１０を帯体３の貫通孔３ａに容易に一致させることができる。ここにおいて、第１規制部１１のみが設けられ、第２規制部１２が設けられない場合には、第１規制部１１を帯体３の貫通孔３ａに入り込ませた後に、帯体３を支持部９側（つまり、後方）に引っ張ることで、帯体固定具４に対して帯体３が位置決めされ、これによって、係合部１０を帯体３の貫通孔３ａに一致させることができる。
【００４１】
なお、本発明は、上述した実施の形態に限定されるわけではなく、その他種々の変更が可能である。例えば、帯体固定具４において、固定部７は、帯体３の貫通孔３ａに入り込む係合部１０を有しているが、この係合部１０の高さは、帯体３の厚み以下でなくとも、帯体３の厚みよりも若干高くてもよい。ここで、係合部１０の高さが、帯体３の厚み以下であったり、その厚みより若干高いと、帯体固定具４の天井１への固定状態となる前には、帯体３の貫通孔３ａへの係合部１０の係合が不安定ではあるが、固定状態となった後には、貫通孔３ａに対して係合部１０が抜け出ようとしても帯体３が天井１に当たってその抜け出を阻止するため、その係合は、確実なものとなる。そして、この固定状態においては、載置部８は、帯体３を天井面１に沿わせるようにして、その帯体３を天井面１とで、密着状態に挟持したり、僅かに隙間をあけて挟持（略挟持）する。
【００４２】
また、この係合部１０は、固定部７に設けられなくとも、固定部７とは別の位置に設けられてもよい。つまり、係合部１０は、帯体３の貫通孔３ａに入り込むのであれば、帯体固定具４のいずれの位置に設けられてもよく、特に、第１規制部１１が、係合部１０を兼ねることで、第１規制部１１のみが設けられるものであっても構わない。つまり、第１規制部１１は、帯体固定具４の天井１への固定状態となる前において、帯体３の、垂れ下がる側への移動を規制するものであるが、固定状態においても、帯体３の、垂れ下がる側への移動を規制するものとなっている。
【００４３】
また、帯体固定具４における係合部１０の機能を、固着具６に持たせてもよい。すなわち、帯体固定具４は、その帯体固定具４自身が天井面１に固定された固定状態において、帯体３の、長手方向の移動を規制すべく、固定部７が載置部８に設けられるとともに固着具６が帯体３を貫通してその帯体３に係合するようにしてもよい。この際、固着具６は、帯体３の貫通孔３ａ（または３ｂ）を通るようにして帯体３を貫通することでその貫通孔３ａ（または３ｂ）の周縁に係合してもよく、帯体３における貫通孔３ａ（または３ｂ）のないところを固着具６自身で孔を明けるようにして貫通することでその帯体３に係合してもよい。そして、このように、固着具６が帯体３を貫通してその帯体３に係合することで、上述した係合部１０の場合と同様に、帯体３は、その長手方向の移動が規制され、これによって、帯体３が垂れ下がる側へとずれて落下するのを防ぐことができる。
【００４４】
また、固定部７は、帯体３の貫通孔３ａに対応した位置に設けられなくとも、例えば、帯体３の幅の外側に位置するように設けられて、固着具６が帯体３の貫通孔３ａを貫通しないようにしてもよい。
【００４５】
また、帯体固定具４は、延出部１３に、第１規制部１１および第２規制部１２が設けられているが、これら第１規制部１１とか第２規制部１２は、帯体固定具４の他の位置に設けられてもよい。また、これら第１規制部１１および第２規制部１２は、帯体３における同一の貫通孔３ａに入り込まなくとも、異なる貫通孔３ａに入り込んでもよい。また、必要でなければ、延出部１３とか第１規制部１１とか第２規制部１２は、なくともよい。
【００４６】
また、帯体固定具４の支持部９に、帯体３の幅方向を保持する保持片１４が設けられているが、この保持片１４は、帯体固定具４の他の位置に設けられてもよい。また、必要でなければ、この保持片１４は、なくともよい。
【００４７】
また、帯体３を用いて、配線・配管材２（被吊下げ材）を吊り下げるにあたっては、配線・配管材２（被吊下げ材）に回されて上方に延びる各側が、フック部Ｘを備えた止め具２０によって止められるが、この止め具２０に代えて、バインド線等の止め具を使用してもよい。また、止め具２０を用いることなく、帯体３の各側が、直接互いに掛かり合うようにして止められてもよい。また、配線・配管材２（被吊下げ材）に帯体３が回されるのではなく、配線・配管材２（被吊下げ材）が、帯体３に、バインド線等を用いて結び付けられてもよい。
【００４８】
また、帯体３は、合成樹脂製でなくとも、鋼板等の金属板からなっていてもよい。
【符号の説明】
【００４９】
１  天井面
２  配線・配管材
３  帯体
３ａ  貫通孔
４  帯体固定具
５  配線・配管材吊下げ具
６  固着具
７  固定部
８  載置部
９  支持部
９ａ  支持面
１０  係合部
１１  第１規制部
１２  第２規制部
１３  延出部
１４  保持片
４０  帯体固定構造
【図１】
0005722159.tif 000002
【図２】
0005722159.tif 000003
【図３】
0005722159.tif 000004
【図４】
0005722159.tif 000005
【図５】
0005722159.tif 000006
【図６】
0005722159.tif 000007
【図７】
0005722159.tif 000008
【図８】
0005722159.tif 000009